(57)【要約】      （修正有）【課題】合成樹脂の縁石本体に対する伸縮による不都合を生じない、内圏縁石装置を提供する。【解決手段】内圏縁石装置１０は、長手の中空４角パイプを用いた縁石本体１２を含み、その縁石本体１２には合成樹脂カバー５０が被せられる。合成樹脂カバー５０は、縁石本体１２の全体を覆う本体カバー部５２と、縁石本体１２の長手方向の端部を覆う端部カバー部５４を含む。本体カバー部５２は、縁石本体１２の上面を覆う上面とその上面の長手方向に直交する幅方向両端に連続して縁石本体１２の側面を覆う側面を有する。端部カバー部５４は、縁石本体１２の長手方向の端部を覆う端面と、縁石本体１２の側面で本体カバー部５２の側面と接着され、端面と一体の側面を有する。端部カバー部５４の端面が縁石本体１２の長手方向の端部に拘止されるため、合成樹脂カバー５０の伸縮に拘らず、縁石本体１２が合成樹脂カバー５０から露出しない。【選択図】図７
0003224449.tif 000002
【実用新案登録請求の範囲】
【請求項１】
金属からなり、断面矩形の定尺長手の縁石本体、および
前記縁石本体に被せられる樹脂カバーを備え、
前記樹脂カバーは、
合成樹脂からなり、前記縁石本体の上面全長を覆う上面および前記上面の幅方向側端から連続して前記縁石本体の側面を覆う２つの本体カバー部側面を有する本体カバー部、および
前記本体カバー部と同じ合成樹脂からなり、前記本体カバー部の長手方向の端部を覆う端部カバー部を含む、内圏縁石装置。
【請求項２】
前記樹脂カバーは、内層と前記内層の外側に形成される撥水性の外層とを含む、請求項１記載の内圏縁石装置。
【考案の詳細な説明】
【技術分野】
【０００１】
この考案は、内圏縁石装置に関し、特にたとえば、金属からなる縁石本体を合成樹脂カバーで被覆した、内圏縁石装置に関する。
【背景技術】
【０００２】
たとえば、特許文献１に開示されたような、既存の縁石装置は、陸上トラックとして使用するとき以外は没入状態にされ、グラウンドをサッカーなどの別の競技に使用している。縁石装置の本体は、たとえばＳＵＳ３０４のような金属で形成され、没入状態でもその表面が露出している。そのため、サッカーなどのプレイヤが靴を滑らせるアクシデントがしばしば発生していた。
【０００３】
このようなアクシデントを防止できる別の背景技術の一例が特許文献２に開示されている。この特許文献１の内圏縁石５は、合成樹脂材６内に金属製パイプ７が埋め込まれて形成されている（段落［００１８］、図４、図５）。特許文献２の内圏縁石装置では、没入時に軟らかい合成樹脂材が露出するため、靴が滑るなどのアクシデントを防止できる可能性がある。
【先行技術文献】
【特許文献】
【０００４】
【特許文献１】特開平9‐680号公報［A63C 19/00, E01C 11/22］
【特許文献２】特開平9‐19531号公報［A63C 19/00, E01C 11/22］
【考案の開示】
【考案が解決しようとする課題】
【０００５】
しかしながら、特許文献２の内圏縁石装置では、金属と合成樹脂の熱膨張係数の違いにより、夏季や冬季において合成樹脂が金属に対して大きく伸縮する結果、金属製パイプが部分的に露出するなどの不都合がある。
【０００６】
それゆえに、この考案の主たる目的は、新規な、内圏縁石装置を提供することである。
【０００７】
この考案の他の目的は、合成樹脂の金属製の内圏縁石本体に対する伸縮による不都合を防止できる、内圏縁石装置を提供することである。
【課題を解決するための手段】
【０００８】
第１の考案は、金属からなり、断面矩形の定尺長手の縁石本体、および縁石本体に被せられる樹脂カバーを備え、樹脂カバーは、合成樹脂からなり、縁石本体の上面全長を覆う上面および上面の幅方向側端から連続して縁石本体の側面を覆う２つの本体カバー部側面を有する本体カバー部、および本体カバー部と同じ合成樹脂からなり、本体カバー部の長手方向の端部を覆う端部カバー部を含む、内圏縁石装置である。
【０００９】
第１の考案では、陸上競技場トラックの内圏縁石装置（１０:実施例において相当する部分を例示する参照符号。以下、同じ。）は、４角柱からなる定尺長手の縁石本体（１２）を含み、その縁石本体（１２）に樹脂カバー（５０）が被せられる。樹脂カバー（５０）は、本体カバー部（５２）および端部カバー部（５４）を含む。合成樹脂からなる本体カバー部（５０）は、縁石本体（１２）の上面全長を覆う上面（５２ａ）およびこの上面（５２ａ）の幅方向側端から連続して縁石本体（１２）の側面を覆う２つの本体カバー部側面（５２ｂ）を有し、本体カバー部と同じ合成樹脂からなる端部カバー部（５４）は、本体カバー部（５２）の長手方向の端部を覆う。
【００１０】
第１の考案によれば、樹脂カバーによって縁石本体の長手方向端部も覆うため、温度変化に伴う伸縮よって縁石本体が樹脂カバーから露出するという不都合を防止することができる。
【００１１】
第２の考案は、第１の考案に従属し、樹脂カバーは、内層と内層の外側に形成される撥水性の外層とを含む、内圏縁石装置である。
【００１２】
第２の考案によれば、外層によって樹脂カバー（の内層）を効果的に保護することができる。
【考案の効果】
【００１３】
この考案によれば、樹脂カバーによって縁石本体の長手方向端部も覆うため、温度変化に伴う伸縮よって縁石本体が樹脂カバーから露出するという不都合を防止することができる。
【図面の簡単な説明】
【００１４】
【図１】図１はこの考案の一実施例の陸上競技場トラックの内圏縁石装置を示す、下から見た斜視図である。
【図２】図２は図１実施例の内圏縁石装置を示す正面図である。
【図３】図３は図１実施例の内圏縁石装置を示す下面図である。
【図４】図４は図１実施例の樹脂カバーを下から見た斜視図である。
【図５】図５は図４の樹脂カバーの母材の一例を示す図解図である。
【図６】図６は図１実施例において縁石本体に樹脂カバーを被せる手順を示す分解斜視図である。
【図７】図７は図１実施例において縁石本体に樹脂カバーを被せた状態を示す、図１に相当する斜視図である。
【図８】図８は図１実施例の内圏縁石装置を陸上競技場のグラウンドのソケットに設置したときの挿入ピンの状態を示す図解図である。
【図９】図９は図１実施例において縁石本体の長手方向の端部における樹脂カバーとの関係を示す図解図である。
【考案を実施するための最良の形態】
【００１５】
図１‐図３を参照して、この考案の一実施例の陸上競技場トラックの内圏縁石装置１０（単に「内圏縁石装置」ということがある。）は、たとえばステンレス（たとえば、ＳＵＳ３０４）などの金属製の中空角パイプからなる縁石本体１２を含む。この縁石本体１２は、両端を閉塞した定尺の長尺物である。
【００１６】
なお、実施例ではこの縁石本体１２などほとんどの部材や部品は、厚みが一例として２．０ｍｍのステンレスの板材の折り曲げ加工（プレス加工）によって形成している。ただし、板材の厚みは任意に変更できることは言うまでもない。
【００１７】
この実施例の内圏縁石装置１０では、図１および図３などに示すように、縁石本体１２の下面１２ａの、長手方向の所定位置（実施例では両端付近と中央部の３箇所）に、挿入ピン１４が取付け板１６を介して取り付けられる。挿入ピン１４は、後述するように、この内圏縁石装置１０を陸上競技場のグラウンド地面に設置するとき、グラウンド地面１８に予め形成されているソケット２０のピン受２２（図８）に挿入される。
【００１８】
そして、縁石本体１２の下面１２ａには、さらに、３つの挿入ピン１４のそれぞれの中間位置に、撓み止めとなるスペーサ２４を取付ける。
【００１９】
このスペーサ２４もステンレス板の折り曲げ加工で形成される。スペーサ２４の高さは、前述の挿入ピン１４を図８のソケット２０に挿入したときに生じる、縁石本体１２の下面１２ａとグランド地面１８との間の間隔に相当する寸法に選ばれている。この実施例では、一例として、１６．５ｍｍとした。
【００２０】
この実施例の内圏縁石装置１０は、縁石本体１２に被せられる合成樹脂からなる樹脂カバー５０を備え、樹脂カバー５０を被せた縁石本体１２が、内圏縁石部材１００を形成する。この実施例では、縁石本体１２に樹脂カバー５０を被せた内圏縁石部材１００の長手方向の長さは、一例として２０００ｍｍである。また、内圏縁石部材１００の高さは一例として、３０ｍｍであり、幅（長い方向に直交する方向の幅）は５０ｍｍに設定されている。ただし、これらの寸法は規格として決められているものであり、規格の変更があれば、それに合わせて変更できるものである。
【００２１】
ここで、樹脂カバー５０について説明する。図４に示すように、樹脂カバー５０は、縁石本体１２の上面と側面を覆う本体カバー部５２と、縁石本体１２の長手方向端部（および端部側面）を覆う端部カバー部５４を含む。
【００２２】
本体カバー部５２は、図４に示すように、縁石本体１２の上面を覆う上面５２ａと、その上面５２ａの幅方向（長手方向に直交する方向）端部から垂下し、縁石本体１２の側面を覆う側面５２ｂを有する。端部カバー部５４は、本体カバー部５２と一体的に成型されていてもよいし、本体カバー部５２に接着することによって形成されていてもよい。
【００２３】
樹脂カバー５０は、図５に示す長手の母材５１を用いて作成する。母材５１は、溝型に形成され、上述の上面５２ａ（端面５４ａ）に相当する上面と、側面５２ｂ（側面５４ｂ）に相当する側面を有する。母材５１は、内側の比較的肉厚の内層５１ａと、その内層５１ａと一体化されて内層５１ａの外表面を覆う外層５１ｂを含む。内層５１ａは比較的軟らかいたとえばＰＶＣのような樹脂からなり、外層５１ｂは、比較的硬い、たとえばＡＢＳ（Acrylonitrile Butadiene Styrene）のような樹脂からなる。ＡＢＳ樹脂は撥水機能を有するだけでなく、耐衝撃性、耐薬品性などに優れるので、樹脂カバー５０の外層として好適である。つまり、外層５１ｂは、内層５１ａ（ひいては、樹脂カバー）を効果的に保護する。また外層５１ｂは撥水機能を有するために外層５１ｂ表面に付着する雨滴などははじかれるので、雨滴などの乾燥によって表面が汚れる惧れは少ない。
【００２４】
このような、母材５１は一例として、射出成型や押出成形によって製作することができる。そして、この実施例では、母材５１の高さを３０ｍｍとした。
【００２５】
なお、母材５１の内層５１ａおよび外層５１ｂの材料は適宜選択可能であり、内層５１ａおよび外層５１ｂの厚みは、その材料固有の強度と必要な強度に従って、適宜設定されればよい。
【００２６】
母材５１の内層５１ａの内面には、適宜数（実施例では、上面、側面とも２本）の溝５１ｃが、長手方向に連続するように形成される。この溝５１ｃは、後述のようにこの樹脂カバー５０を縁石本体１２に被せる（嵌める）ときに、そのような嵌合を容易に行えるように、樹脂カバー５０に柔軟性を付与するために設けられる。
【００２７】
ただし、溝５１ｃはなくてもいいし、溝５１ｃを設ける場合には、その数は任意数でよい。
【００２８】
さらに、母材５１では、図５からよくわかるように、側面が下端に行くに従って内側へ傾斜するように、成形されている。この内向きの傾斜角度は適宜の角度でよいが、実施例では５°に設定した。このように、母材５１の側面を内向きに傾斜させるのは、この母材５１から作った樹脂カバー５０を縁石本体１２に嵌めたとき、形状記憶作用によって側面５２ｂおよび５４ｂに内向きのばね効果を発揮させるためである。つまり、側面がこのように内向きに傾斜した樹脂カバーを、側面が垂直な縁石本体１２に嵌めると、樹脂カバーの側面が縁石本体１２の側面によって押し広げられるので、それに抗するばね力が働いて、樹脂カバー５０の縁石本体１２からの脱落を防止することができる。
【００２９】
さらに、母材５１には比較的硬い、撥水機能を有する外層５１ｂが設けられているので、樹脂カバー５０の外表面が破損したり、汚れたりするのを効果的に防止できる。
【００３０】
このようにして完成した樹脂カバー５０を、たとえば図６に示すように、縁石本体１２に被せると同時に樹脂カバー５０を縁石本体１２に接着剤で接着し、さらに本体カバー部５２の側面５２ｂは、たとえばビス５６によって、縁石本体１２の側面にねじ止めされる。そのために、本体カバー部５２の側面５２ｂおよび縁石本体１２の側面の対応する位置に予め透孔を形成しておいてもよい。ただし、ビス５６はタッピングビスであってよい。この縁石本体１２と樹脂カバー５０の一体化の際に、縁石本体１２の長手方向端面と端部カバー部５４の内側面とが接する面の接着も強固に行っておくのが望ましい。このようにして図７に示す内園縁石１０が完成する。
【００３１】
そして、樹脂カバー５０の高さは、たとえば３０ｍｍであり、幅（表面の）は５０ｍｍであるので、内圏縁石部材１００（図７）の高さは３０ｍｍ、幅が５０ｍｍである。
【００３２】
なお、長期に亘って使用したり使用頻度が高くて樹脂カバー５０を破損したり、甚だしく汚損したりした場合には、ビス５６の取り外し、接着剤を剥離して新しい樹脂カバーと交換する。
【００３３】
そして、図８に示すように、ソケット２０のピン受け２２に、挿入ピン１４を挿入することによって、内圏縁石装置１０を陸上競技場トラックに設置することができる。
【００３４】
このとき、スペーサ２４の下面がグランド地面１８の上面に当接し、縁石本体１２のグランド地面１８方向への撓みを防止することができる。
【００３５】
また、図９に示すように、端部カバー部５４の内面が縁石本体１２の長手方向端面の外側にあり、他方で、先に説明したように、本体カバー部５２の側面５２ｂと端部カバー部５４の側面５４ｂのそれぞれの端縁どうしは強固に接着されている。そのため、縁石本体１２が樹脂カバー５０から露出するのが確実に防止できる。
【００３６】
たとえば、冬季でのように、低温環境下では、金属からなる縁石本体１２に比べて合成樹脂からなる樹脂カバー５０のほうが大きく縮む。そのため、端部カバー部５４がなければ、本体カバー部５２が縮んで縁石本体１２が露出する可能性がある。しかしながら、樹脂カバー５０が縮むとき、端部カバー部５４の端面５４ａの内面が縁石本体１２の長手方向端部に引っ掛かる。一方で、本体カバー部５２の側面５２ｂと端部カバー部５４の側面５４ｂは強固に接着されているため、樹脂カバー５０はそれ以上縮まない。つまり、樹脂カバー５０の縮む方向への変形は縁石本体１２に拘束される（図９に示す状態）ため、縁石本体１２は、常に樹脂カバー５０の内側にあり、露出することはない。
【００３７】
また、夏季でのように、高温環境下では、金属からなる縁石本体１２に比べて合成樹脂からなる樹脂カバー５０のほうが大きく伸びる。そのため、端部カバー部５４の端面５４ａの内面と縁石本体１２の長手方向端部との間に空隙ができる可能性があるものの、縁石本体１２は、常に樹脂カバー５０の内側にあり、露出することはない。
【００３８】
さらに、樹脂カバー５０の表面は撥水性の外層によって覆われているために、雨滴などによって表面が汚れる可能性は低くなる。
【００３９】
なお、上述の実施例では、端部カバー部５４は、その側面５４ｂによって本体カバー部５２と接合されて一体化されるが、これに限られることはない。
【００４０】
たとえば、実施例と同様に側面５２ａおよび５４ｂの端縁どうしを接着することに加えて、端部カバー部５４の端面５４ａを本体カバー部５２の上面５２ａの端縁と接着するようにしてもよい。
【００４１】
たとえば、本体カバー部５２の側面５２ｂを上面５２ａと同じように、縁石本体１２の長手方向端部を覆う長さとし、その側面端縁および上面５２ａの端縁に端部カバー部５４の端面５４ａを接着することも考えられる。
【符号の説明】
【００４２】
１０  …内圏縁石装置
１２  …縁石本体
１４  …挿入ピン
５０  …樹脂カバー
５２  …本体カバー部
５２ａ  …上面
５２ｂ  …側面
５４  …端部カバー部
５６  …ビス
１００  …内圏縁石部材
【図１】
0003224449.tif 000003
【図２】
0003224449.tif 000004
【図３】
0003224449.tif 000005
【図４】
0003224449.tif 000006
【図５】
0003224449.tif 000007
【図６】
0003224449.tif 000008
【図７】
0003224449.tif 000009
【図８】
0003224449.tif 000010
【図９】
0003224449.tif 000011